(57)【要約】      （修正有）【課題】落としにくいマスカラを何度も擦ったり、引っ張ったりすることなく、また、落としたメークを顔に拡げず、アイメークが下瞼に付着するのを防ぐマスカラ落とし用コットン及びその使用方法を提供する。【解決手段】適宜の大きさを有するコットン、あるいは、表面に、縦・横いずれか一方に、繊維方向（Ｘ）を凹凸状に形成したコットン（１′）を設け、該コットンを、大きなコットン（１′ａ）と小さいコットン（１′ｂ）に、分離するカット用ミシン目（２）を形成し、大きなコットン（１′ａ）は上瞼に、小さいコットン（１′ｂ）は、下瞼に、それぞれ添わせて設け、繊維方向（Ｘ）に対して９０°に向けて持ち、上・下のコットンで睫毛を挟み、睫毛のマスカラを拭き取るマスカラ落とし方法。【選択図】図２
2014210073.tif 000002
【特許請求の範囲】
【請求項１】
適宜の大きさを有するコットン（１）を設け、
該コットンを、大きなコットン（１ａ）と小さいコットン（１ｂ）に、分離するカット用ミシン目（２）を形成したことを特徴とするマスカラ落とし用コットン。
【請求項２】
適宜の大きさを有し、表面に、縦・横いずれか一方に、繊維方向（Ｘ）を凹凸状に形成したコットン（１′）を設け、
該コットンを、大きなコットン（１′ａ）と小さいコットン（１′ｂ）に、分離するカット用ミシン目（２）を形成し、
大きなコットン（１ａ）には上瞼（Ａ）に位置し、
小さなコットン（１ｂ）には下瞼（Ｂ）に添わせて設ける
ことを特徴とするマスカラ落とし用コットン。
【請求項３】
前記コットン（１，１′）の大きさが、縦寸法７５ｍｍ、横寸法６５ｍｍであることを特徴とする請求項１または２記載のマスカラ落とし用コットン。
【請求項４】
前記コットン（１，１′）のうち、縦方向の一端から２０ｍｍの位置に、ミシン目（２）を形成することを特徴とする請求項１または２または３記載のマスカラ落とし用コットン。
【請求項５】
前記大きなコットン（１ａ，１′ａ）には、処理材（Ｚ）を含ませることを特徴とする請求項１または２または３または４記載のマスカラ落とし用コットン。
【請求項６】
処理材（Ｚ）が、クレンジングオイル、アイメークリムーバー、化粧水・液からなることを特徴とする請求項５記載のマスカラ落とし用コットン。
【請求項７】
コットン（１）を大小の２つのコットン（１ａ）（１ｂ）にカットする工程と、
小さい方のコットン（１ｂ）を下瞼（Ｂ）に添わせる工程と、
処理材（Ｚ）を含ませた大きい方のコットン（１ａ）を、上瞼（Ａ）に添わせる工程と、
上瞼（Ａ）に添わせた大きい方のコットン（１ａ）の、処理材（Ｚ）がマスカラに馴染ませる工程と、
上・下のコットン（１ａ）（１ｂ）で睫毛（Ｃ）を挟み、睫毛に付着したマスカラを拭き取る工程と、
の組み合わせからなることを特徴とするマスカラ落とし方法。
【請求項８】
小さい方のコットン（１ｂ）を下瞼（Ｂ）に添わせる工程と、
処理材（Ｚ）を含ませた大きい方のコットン（１ａ）を、上瞼（Ａ）に添わせ、前記処理材（Ｚ）が上睫毛（Ｃ）に馴染んだ後に、
前記コットン（１ａ）の繊維方向（Ｘ）を、拭き取る方向（Ｙ）に対して、９０°に向けて持ち、上・下のコットンで睫毛（Ｃ）を挟む工程と、
該睫毛（Ｃ）のマスカラを拭き取る工程、
との組み合わせからなることを特徴とするマスカラ落とし方法。
【発明の詳細な説明】
【技術分野】
【０００１】
この発明は、マスカラ落とし用コットン及びその使用方法に関するものである。
【背景技術】
【０００２】
従来より、女性は化粧することにより、より自分を美しくみせるものであるが、その化粧も、段々、華やかになってきており、特に、目の化粧においては顕著である。
【０００３】
アイライン、付け睫や、そして自分の睫毛にマスカラを付け、睫毛をより長く、太くすることにより見た目に、目の変化が生じ、実際よりも大きな目に見せかけるよう工夫している。
【０００４】
しかしながら、夜、寝る際には、その化粧を落とす必要があり、落とし難いマスカラを、コットンで何度もこすったり、ひっぱったりしており、デリケートな瞼や睫毛に負担をかけすぎており、なかなか、確実に落ちるコットンは存在しなかった。
【０００５】
そもそも、マスカラとは、化粧品の一種であり、その種類も、まつげを濃くするボリュームタイプ、また睫毛の濃さ・太さよりも睫毛１本１本の長さを強調するロングタイプ、長く、また、まつげのカールを上向きに維持させるカールタイプ等がある。
【０００６】
そして、マスカラには液体、固体、クリームの３タイプがあり、成分は顔料と水分、増粘剤、被膜剤、保存料などからなり、基本的には落としにくい化粧品である。
【０００７】
また、これらのマスカラの落とし方は、コットンにポイントメイク落としをしみ込ませ、下瞼におき、目を閉じ、綿棒にもポイントメイク落としを染み込ませ、、コットンを抑えながら、綿棒でトントンと優しく落とし、睫毛に付着したマスカラを落とすものであった。
【０００８】
このようにマスカラを落とすには化粧用コットンが必要であるが、実際にはこのようなコットンが存在している。例えば、特許文献１のように。
【先行技術文献】
【特許文献】
【０００９】
【特許文献１】特開２０１２−８５８５３号公報
【００１０】
しかしながら、このような化粧用コットンは、不透明性のフィルム材からなり内部にガスを封入された袋状のエアバックを吸収性を有するシート材からなる吸水層で被覆した構造のコットンであり、デリケートな瞼や睫毛に負担をかけるものである。
【発明の概要】
【発明が解決しようとする課題】
【００１１】
そのため、この発明は、落としにくいマスカラを何度も擦ったり、引っ張ったりすることなく、また、落としたメークを顔に拡げず、アイメークが下瞼に付着するのを防ぐことのできるマスカラ落とし用コットン及びその使用方法を開発・提供するものである。
【課題を解決するための手段】
【００１２】
そこで、この発明は、一枚のコットンを、大・小２つのコットンに分割できるよう構成し、小さい方は下瞼に添わせて設け、大きい方は、メーククレンジングオイル又は、アイメークリムーバーを含ませて使用するよう構成したマスカラ落とし用コットン及びその使用方法である。
【発明の効果】
【００１３】
この発明によると、１枚のコットンにミシン目を設け、大・小のコットンに分割することにより、従来、２枚のコットンを用いてマスカラ落としをしていたが、１枚のうち、分割した小さい方のコットンを下瞼に沿わせ、大きいコットンに処理材を含ませて上睫毛に沿わせ処理材が馴染んだ後、下方に擦り落とすことによりマスカラを落としが完了するため、一枚のコットンで処理することができ、極めて有効なる効果を奏する。
【００１４】
さらに、この発明によると、表面に繊維方向を凹凸状に形成したコットンを用いることにより、上瞼に使用する大きい方のコットンを、繊維方向と直交する方向（９０度）に向けて手で持ち、該コットンで上瞼の睫毛を拭うことにより繊維同士が絡みやすくなり、マスカラの汚れも一緒に絡み、該汚れも取れ易くなるという効果を奏する。
【００１５】
また、大きい方のコットンに、処理液（Ｚ）を含ませて、上・下の睫毛をサンドするよう馴染ませてた後、上・下のコットンを一体に下方向に移動させて拭き取ることにより落としたメークを顔に拡げることなく、また、また、デリケートな瞼や睫毛に負担をかけず、さらに色素沈着も防ぐ等極めて有益なる効果を奏する。
【図面の簡単な説明】
【００１６】
【図１】この発明の一実施例を示す斜視図である。
【図２】この発明の他の実施例を示す斜視図である。
【図３】この発明の使用方法を示す説明図である。
【図４】この発明の使用方法を示す説明図である。
【発明を実施するための形態】
【００１７】
以下、本発明について詳細に説明する。なお、本発明においては、以下の記述に限定されるものではなく、本発明の要旨を逸脱しない範囲においては適宜変更可能である。
【実施例】
【００１８】
この発明の物の発明の一実施例を図１に基づいて詳述すると、適宜の大きさを有するコットン（１）を設け、該コットンを、大きなコットン（１ａ）と小さいコットン（１ｂ）に、分離するカット用ミシン目（２）を形成したマスカラ落とし用コットンから構成される。
【００１９】
さらに、この発明の物の発明の他の実施例を図２に基づいて詳述すると、適宜の大きさを有し、表面に、縦・横いずれか一方に繊維方向（Ｘ）を凹凸状に形成したコットン（１′）を設け、該コットンを、大きなコットン（１′ａ）と小さいコットン（１′ｂ）に、分離するカット用ミシン目（２）を形成し、大きなコットン（１ａ）には上瞼（Ａ）に位置し、小さなコットン（１ｂ）には下瞼（Ｂ）に添わせて設けることを特徴とするマスカラ落とし用コットンから構成される。
【００２０】
尚、前記コットン（１，１′）の大きさは、縦寸法７５ｍｍ、横寸法６５ｍｍであり、該コットンのうち、縦方向の一端から２０ｍｍの位置に、ミシン目（２）を形成し、該ミシン目に沿って、コットン（１，１′）を切断すれば、大きいコットン（１ａ，１′ａ）と、小さいコットン（１ｂ，１′ｂ）に分割されるマスカラ落とし用コットンである。
【００２１】
また、前記大きなコットン（１ａ）には、クレンジングオイル・アイメークリムーバー等の化粧水・液〔以下、これらを処理材（Ｚ）という〕を含ませるマスカラ落とし用コットンであり、前記小さなコットン（１ｂ）は、下瞼装着用として使用するためのマスカラ落とし用コットンである。
【００２２】
次に、この発明のうち、方法の発明の一実施例を図３，４に基づいて詳述すると、コットン（１）を大小の２つのコットン（１ａ）（１ｂ）にカットする工程と、小さい方のコットン（１ｂ）を下瞼（Ｂ）に添わせる工程と、処理材（Ｚ）を含ませた大きい方のコットン（１ａ）を、上瞼（Ａ）に添わせる工程と、該大きい方のコットン（１ａ）に含ませた処理材（Ｚ）が睫毛（Ｃ）に馴染むまで待つ工程と、該処理材（Ｚ）が馴染んだら上・下のコットン（１ａ）（１ｂ）で睫毛（Ｃ）を挟み、コットンの移動方向（Ｙ）に移動させることにより、睫毛（Ｃ）のマスカラを拭き取る工程との組み合わせからなることを特徴とするマスカラ落とし方法から構成される。
【００２３】
次に、この発明のうち、方法の発明の他の実施例を図３，４に基づいて詳述すると、他の実施例を説明すると、適宜の大きさを有し、コットンが表面に、縦・横いずれか一方に繊維方向（Ｘ）を凹凸状に形成したコットン（１′）を使用するものであり、その製法は、スーパーウォータージェット工法により繊維の束をより強く編み上げたものであり、小さい方のコットン（１ｂ）を下瞼（Ｂ）に添わせる工程と、該工程の後、処理材（Ｚ）を含ませた大きい方のコットン（１ａ）を、上瞼（Ａ）に添わせるに際して、該コットン（１′）の繊維方向を、拭き取る方向に対して、９０°に向けてコットン（１ａ）を持つ工程と、上・下のコットン（１ａ，１ｂ）で睫毛（Ｃ）を挟み、睫毛（Ｃ）のマスカラを拭き取る工程、との組み合わせからなることを特徴とするマスカラ落とし方法から構成されるものである。
【産業上の利用可能性】
【００２４】
この発明のよると、マスカラ落とし用コットン及びその使用方法の技術を確立し、それに基づいて大量に製造・使用・販売することにより、産業上の利用可能性があるものである。
【符号の説明】
【００２５】
１  コットン
１′コットン
１ａ，１′ａ  大きなコットン
１ｂ，１′ｂ  小さいコットン
２  カット用ミシン目
Ａ  上瞼
Ｂ  下瞼
Ｃ  睫毛
Ｘ  繊維方向
Ｙ  コットンの移動方向
Ｚ  処理材
【図１】
2014210073.tif 000003
【図２】
2014210073.tif 000004
【図３】
2014210073.tif 000005
【図４】
2014210073.tif 000006